(57)【要約】      （修正有）【課題】円滑・容易な着替え動作が可能であり、屋外など公の場における着替え用として便利に用いることができ、さらにそのまま通常の衣類として着用していても特に心理的負担のない、着替え用兼用ドレスを提供する。【解決手段】着替え兼用ドレス１０Ｐは、衣類材料により筒状に形成された本体２Ｐと、本体２Ｐ上端に設けられていて本ドレス１０Ｐを着用者の腰部以上の身体に止めるための身体係止用弾性環部３Ｐと、本体２Ｐ上に設けられた一対または二対以上の手差入れ用のスリット１ＰＡ、１ＰＢとを備えている。【選択図】図１
0003152376.tif 000002
【実用新案登録請求の範囲】
【請求項１】
衣類材料により筒状に形成された本体と、該本体上端に設けられていて本ドレスを着用者の腰部以上の身体に止めるための身体係止用弾性環部と、該本体上に設けられた一対または二対以上の手差入れ用のスリットとを備えてなる着替え用兼用ドレスであって、着用して該各スリットから手を差入れて所定の着替え動作をすることにより、内側に着用している衣類を他者の目に触れることなく着替えることのできる、着替え用兼用ドレス。
【請求項２】
前記スリットにはこれにポケット様の外観を与える帯状部が設けられていることを特徴とする、請求項１に記載の着替え用兼用ドレス。
【請求項３】
前記本体を構成する衣類材料は、タオルまたはこれと同等以上の吸水性を備えた材料であることを特徴とする、請求項１または２に記載の着替え用兼用ドレス。
【請求項４】
着用者の胸部以上の身体に止めて用い、ワンピースのドレスとして兼用可能であることを特徴とする、請求項１ないし３のいずれかに記載の着替え用兼用ドレス。
【請求項５】
着用者の腰部以下を主として覆うべく身体に止めて用い、スカートとして兼用可能であることを特徴とする、請求項１ないし３のいずれかに記載の着替え用兼用ドレス。
【請求項６】
前記本体の下端縁部には、該縁部上の異なる箇所同士を合わせることで下側開放端部を狭めるための合わせ手段が設けられていることを特徴とする、請求項１ないし５のいずれかに記載の着替え用兼用ドレス。
【請求項７】
前記合わせ手段は二対設けられ、該合わせ手段を用いた合わせによって狭めることのできる前記本体下端側を上にして着用可能であることを特徴とする、請求項６に記載の着替え用兼用ドレス。
【考案の詳細な説明】
【技術分野】
【０００１】
本考案は着替え用兼用ドレスに係り、特に、屋外における下着等の着替えに便利な、着替え用兼用ドレスに関するものである。
【背景技術】
【０００２】
海水浴その他水環境におけるレジャーを楽しむ場合を始めとして、屋外において着替えを必要とする場合がある。このような場合、女性・女児は心理的な負担が少なくない。かかる不都合を解消するための提案が、従来からなされている。
【０００３】
後掲非特許文献１は、女性が着替える際または小用の際に使用するためのスカートであり、腰部に止めて着用するスカートの上部左右に袖口が設けられ、着用者はこの袖口の開放端部から手を中に差入れて、周囲から見られることなく内部に着用した衣類を着替えたりすることが可能なように構成されている。
【先行技術文献】
【非特許文献】
【０００４】
【非特許文献１】意匠登録第１２８１１８０号公報「スカート」
【考案の概要】
【考案が解決しようとする課題】
【０００５】
しかしながら当該文献開示のスカートでは、デザイン的にも、まさに着替え用としてしか用いることができない。また使用時には、スカート着用状態で、筒状に形成された袖口に手を入れてその中を通す手間がかかり、さらに袖口によって腕が規制されて腕の自由度に制限が生じ、あるいは腕の周りに袖口がまとわりついて邪魔となり、着替え等の動作が円滑・容易に行えるものではない。
【０００６】
円滑・容易な着替え動作が可能であり、屋外における着替え用として一層便利に用いることができ、さらにそのまま通常の衣類として着用していても特に心理的負担がないような新規な衣類が求められている。
【０００７】
本考案が解決しようとする課題は、これら従来技術の問題点を踏まえ、円滑・容易な着替え動作が可能であり、屋外など公の場における着替え用として便利に用いることができ、さらにそのまま通常の衣類として着用していても特に心理的負担のない、着替え用兼用ドレスを提供することである。
【課題を解決するための手段】
【０００８】
本願考案者は上記課題について検討した結果、着替え用に手を差し入れるためのスリットを一対設けた筒型衣類によってこれを解決できることに想到し、本考案に至った。すなわち、上記課題を解決するための手段として本願で実用新案登録請求される考案、もしくは少なくとも開示される考案は、以下の通りである。
【０００９】
（１）  衣類材料により筒状に形成された本体と、該本体上端に設けられていて本ドレスを着用者の腰部以上の身体に止めるための身体係止用弾性環部と、該本体上に設けられた一対または二対以上の手差入れ用のスリットとを備えてなる着替え用兼用ドレスであって、着用して該各スリットから手を差入れて所定の着替え動作をすることにより、内側に着用している衣類を他者の目に触れることなく着替えることのできる、着替え用兼用ドレス。
（２）  前記スリットにはこれにポケット様の外観を与える帯状部が設けられていることを特徴とする、（１）に記載の着替え用兼用ドレス。
（３）  前記本体を構成する衣類材料は、タオルまたはこれと同等以上の吸水性を備えた材料であることを特徴とする、（１）または（２）に記載の着替え用兼用ドレス。
【００１０】
（４）  着用者の胸部以上の身体に止めて用い、ワンピースのドレスとして兼用可能であることを特徴とする、（１）ないし（３）のいずれかに記載の着替え用兼用ドレス。
（５）  着用者の腰部以下を主として覆うべく身体に止めて用い、スカートとして兼用可能であることを特徴とする、（１）ないし（３）のいずれかに記載の着替え用兼用ドレス。
（６）  前記本体の下端縁部には、該縁部上の異なる箇所同士を合わせることで下側開放端部を狭めるための合わせ手段が設けられていることを特徴とする、（１）ないし（５）のいずれかに記載の着替え用兼用ドレス。
（７）  前記合わせ手段は二対設けられ、該合わせ手段を用いた合わせによって狭めることのできる前記本体下端側を上にして着用可能であることを特徴とする、（６）に記載の着替え用兼用ドレス。
【考案の効果】
【００１１】
本考案の着替え用ドレスは上述のように構成されるため、これによれば、両ポケットに手を入れるようにして両スリットから内側に手を差し入れることによって、差し入れた手を内側で自由自在に動かせるため、円滑・容易に現在着用している下着や水着等の衣類を直接掴んで脱衣し、新たに着用すべき衣類を着衣することができ、円滑・容易な着替え動作を行うことが可能である。したがって、屋外など公の場における着替え用、殊に女性・女児の屋外等での着替え用として非常に便利である。
【００１２】
しかも、外見は通常の衣類と何ら相違ない構成とすることができるため、着替えの前後において、そのまま通常の衣類として着用していても、特に心理的負担もなく、好ましく着用し続けることができる。
【００１３】
特に、吸水性のよい衣類材料により構成した本考案着替え用兼用ドレスは、海水浴等屋外の水環境におけるレジャー時や、発汗の多い夏季間などにおいて、外部からの水分や発汗を吸収できるため、快適な着用・使用が可能である。
【００１４】
また、本考案着替え用兼用ドレスを女児用のムウムウタイプのドレスとして、かつ合わせ手段を設ける構成とした場合は、これを上下逆に用いることによって、乳児様のベビードレスとして併用することもできる。
【図面の簡単な説明】
【００１５】
【図１】本考案の着替え用兼用ドレスの構成例を示す正面図である。
【図１−２】図１の構成例の背面図である。
【図２】図１の構成例を裏返した状態の正面図である。
【図２−２】図１の構成例を裏返した状態の背面図である。
【図３】本考案実施例の使用状態を示す正面視の写真図である。
【図４】図３に示した本考案着替え用兼用ドレス実施例の構成を示す説明図である。
【図５】図４に示した実施例を用いてベビードレスを形成する方法を示す説明図である。
【図６】図５に示した方法により形成されたベビードレスの正面視の写真図である。
【図７】図６に示したベビードレスの使用方法を示す説明図である。
【考案を実施するための形態】
【００１６】
以下、図面により本考案を詳細に説明する。
図１は、本考案の着替え用兼用ドレスの構成例を示す正面図である。また、
図１−２は、図１の構成例の背面図、
図２は、図１の構成例を裏返した状態の正面図、
図２−２は、図１の構成例を裏返した状態の背面図、そして、
図３は、本考案実施例の使用状態を示す正面視の写真図である。
【００１７】
これらに図示するように本考案の着替え兼用ドレス１０Ｐは、衣類材料により筒状に形成された本体２Ｐと、本体２Ｐ上端に設けられていて本ドレス１０Ｐを着用者の腰部以上の身体に止めるための身体係止用弾性環部３Ｐと、本体２Ｐ上に設けられた一対または二対以上の手差入れ用のスリット１ＰＡ、１ＰＢとを備えていることを、主たる構成とする。なお各図に示す構成例は、スリットを一対設けた例である。
【００１８】
かかる構成により本着替え用兼用ドレス１０Ｐは、これを着用者身体に被せ着用させる際、身体係止用弾性環部３Ｐにおいて本ドレス１０Ｐが身体上に容易かつ無理なく係止された状態で着用される。各スリット１ＰＡ、１ＰＢを通して着用者の左右の手がそれぞれ差し込まれるが、スリット１ＰＡ、１ＰＢは裏側に袋状体のあるポケット構造ではなく、単なる切れ込みであるため、差し込まれた手は本ドレス１０Ｐの本体２Ｐを離れて、そのすぐ内側に着用されている衣類に直接触れることができる。
【００１９】
したがって、両スリット１ＰＡ、１ＰＢから内側に差し込まれた手によって、内側に着用された衣類を脱衣したり、逆に新たな衣類を着用する動作を、円滑かつ容易に行うことができる。かかる着替え動作は、本着替え用兼用ドレス１０Ｐを着衣した状態でその内側にて進行できるため、着用者は、内側に着用している衣類を他者の目に触れることなく着替えることができる。
【００２０】
本考案着替え用兼用ドレス１０Ｐの本体２Ｐを構成する衣類材料としては、タオルまたはこれと同等以上の吸水性を備えた材料を用いるものとすることができる。かかる材料を用いた場合、海水浴等の水環境におけるレジャー時や、発汗の多い夏季間などにおいて水分や身体からの発汗をよく吸収できるため、快適な着用・使用が可能となる。しかしながら、それ以外の衣類材料を用いてもよい。
【００２１】
本考案着替え用兼用ドレス１０Ｐの本体２Ｐの筒状形状は、開放端部が上下二箇所設けられた筒状に該当するものである限り、丈と巾の比率や各開放端部の広さの異同如何、装飾等も含め、具体的形状は限定されない。本構成例は、図１−２に示されるように脇にスリットが設けられているが、これも、かかる構成に限定されるものではない。
【００２２】
図３に示されるように上述各図にて示した本考案ドレスの構成例は、身体係止用弾性環部３Ｐを、着用者の胸部以上の身体に止めるように用いることを想定したものである。つまり、着替え用とワンピースのドレス様の通常衣類とを兼ねた構成である。
【００２３】
しかしながら、本考案がこれに限定されるものではない。要するに本考案着替え用兼用ドレスは、着替え用としては、最低限、下半身用の下着や水着等の着替えが円滑・容易に行えればよいのであるから、身体係止用弾性環部を着用者の腰部以上の身体に止めるのに充分なようにドレス全体が形成されていればよい。たとえば、身体係止用弾性環部がちょうど着用者の腰部に位置する仕様、すなわちスカート様の構成であってもよい。なお身体係止用弾性環部３Ｐは、簡単には、ゴム紐を用いて形成することができる。
【００２４】
本考案においては、手差入れ用のスリットは各図のスリット１ＰＡ、１ＰＢのように一対設けるものとすることができる。かかる構成により、図３に示すように下半身用の着替えを何ら問題なく行うことができる。しかしながら、手差入れ用のスリットは、一対のみならず、二対以上を設けることとしてもよい。
【００２５】
たとえば、本体の正面側に上段・下段の二対を設けることにより、下段の一対は上述した下半身用着替え用のスリットとして、一方、上段の一対は上半身用着替え用のスリットとして用いることができる（図示せず）。他にも、本体の正面・背面各面にそれぞれ一対ずつ設ける構成なども本考案の範囲内である。
【００２６】
各図に示すように、手差入れ用のスリット１ＰＡ等には、帯状の部材などのポケット様の外観を与える部材を付ければ、単なる着替え用途だけでなく通常の衣類としても充分な体裁を備えたものとすることができる。
【００２７】
なお、各図中の符号５ＰＸ、５ＰＹ、６ＰＸ、６ＰＹ、７ＰＸ、７ＰＹは、図４等を用いて後述する実施例におけるベビードレス形態を形成する際に用いる「合わせ手段」であるが、これについては追って説明する。また、これらの合わせ手段を備えない構成も、本考案の範囲内である。
【００２８】
図４は、図３に示した本考案着替え用兼用ドレス実施例の構成を示す説明図である。また、
図５は、図４に示した実施例を用いてベビードレスを形成する方法を示す説明図、
図６は、図５に示した方法により形成されたベビードレスの正面視の写真図、そして、
図７は、図６に示したベビードレスの使用方法を示す説明図である。
【００２９】
これらに図示するように本考案実施例の着替え用兼用ドレス１０は、本体２の下端縁部に、縁部上の異なる箇所同士を合わせることで下側開放端部を狭めるための合わせ手段５Ｘ−５Ｙ、６Ｘ−６Ｙが設けられた構成を備えることを特徴とする。図では合わせ手段は５Ｘ−５Ｙ、６Ｘ−６Ｙの二対が設けられているが、三対以上を設けることとしてもよい。
【００３０】
しかし実際上、本体２上で対向する正面側−背面側位置に設けられる対が二つあれば、充分である。５Ｘ−５Ｙ、６Ｘ−６Ｙの二対の合わせによってその間に形成される空間が、狭められた開放端部となるからである。本着替え用兼用ドレス１０は、合わせ手段５Ｘ−５Ｙ等を用いた合わせによって狭められた開放端部を首が通る部分として着用可能な、ベビードレスの形態にすることができる（図６）。その形成方法を、図５により説明する。
【００３１】
本ドレス１０を広げて置いた際の下端縁部の左右両端部４Ａ、４Ｂを図中太矢印のように内側に捲り入れて、それぞれをスリット１Ａ、１Ｂを通して外に出す。これにより、スリット１Ａ、１Ｂが腕を通す部分として形成される。スリット１Ａ、１Ｂからそれぞれ外方に出された左右両端部４Ａ、４Ｂは、袖口を形成することとなる。
【００３２】
また、合わせ手段５Ｘ−５Ｙ、６Ｘ−６Ｙをそれぞれ合わせて、狭められた開放端部を形成する。なお図示するように、背面側に設けられた別の合わせ手段７Ｘ−７Ｙを合わせることによって、首元空き部を形成できるようにすれば、なおよい。
【００３３】
以上の方法により、図６に示すようなベビードレスの形態を得、図７に示すように使用することができる。通常の使用方法とは上下逆に、身体係止用弾性環部３の方を足側、本体２下端側を頭側として用いる。なお各合わせ手段５Ｘ−５Ｙ等を合わせる作業は、スリット１Ａ等による袖口を形成した段階でこれを乳児に着用させた後に行ってもよい。
【００３４】
なお、合わせ手段５Ｘ−５Ｙ等としては、ボタン、スナップボタン、面ファスナー、フック、結ぶ紐など、衣類に従来から使用されている適宜の手段を適用することができる。
【００３５】
なおまた、乳児用ベビードレスとして用いることのできる程度のサイズを備えた本実施例着替え用兼用ドレス１０であれば、おおむね幼児〜低学年児童用の着替え用兼用ドレスとして使用可能である。つまり本例の場合は、幼児〜低学年児童用の着替え用ドレスにも、通常のドレス（サマードレス）にも、また乳児用のベビードレスにも兼用することができる。
【産業上の利用可能性】
【００３６】
本考案の着替え用ドレスによれば、特に屋外など公の場における着替え用、殊に女性・女児の屋外での着替え用として非常に便利である。したがって、関連産業上利用性が高い考案である。
【符号の説明】
【００３７】
１Ａ、１Ｂ、１ＰＡ、１ＰＢ…手差入れ用のスリット
１０、１０Ｐ…着替え兼用ドレス
２、２Ｐ…本体
３、３Ｐ…身体係止用弾性環部
４Ａ、４Ｂ…下端縁部の左右両端部
５Ｘ、５Ｙ、６Ｘ、６Ｙ、５ＰＸ、５ＰＹ、６ＰＸ、６ＰＹ…合わせ手段
７Ｘ、７Ｙ、７ＰＸ、７ＰＹ…別の合わせ手段
【図１】
0003152376.tif 000003
【図１−２】
0003152376.tif 000004
【図２】
0003152376.tif 000005
【図２−２】
0003152376.tif 000006
【図３】
0003152376.tif 000007
【図４】
0003152376.tif 000008
【図５】
0003152376.tif 000009
【図６】
0003152376.tif 000010
【図７】
0003152376.tif 000011